(57)【要約】【課題】落下等により衝撃が加わった際に、電池蓋の回動軸の破損を防止することができる撮像装置の電池蓋保持構造及び撮像装置を提供すること。【解決手段】撮像装置本体から前面側に突出したグリップ部と、グリップ部の内側に形成され、撮像装置に電源を供給するための電池を収納する電池収納部と、電池収納部に配設された開閉自在の電池蓋と、電池蓋の回動軸の一部を保持する回動軸押さえ部材と、電池蓋の回動軸が撮像レンズの撮影光軸に対し略平行に配設される撮像装置において、電池蓋の撮像装置の前面側に配設されている第一の回動軸の撮影光軸側の側面を、回動軸押さえ部材により弾性的に保持されていることを特徴とする。【選択図】図１０
2017198767.tif 000002
【特許請求の範囲】
【請求項１】
撮像装置（１）本体から前面側に突出したグリップ部（３）と、
前記グリップ部（３）の内側に形成され、撮像装置（１）に電源を供給するための電池（５）を収納する電池収納部（３ａ）と、
前記電池収納部（３ａ）に配設された開閉自在の電池蓋（１０）と、
前記電池蓋（１０）の回動軸の一部を保持する回動軸押さえ部材（７）と、
前記電池蓋（１０）の回動軸（Ｋ）が撮像レンズ（２）の撮影光軸（Ｚ）に対し平行に配設される撮像装置（１）において、
前記電池蓋（１０）の撮像装置（１）の前面側に配設されている第一の回動軸（１３ａ）の撮影光軸（Ｚ）側の側面を、
前記回動軸押さえ部材（７）により弾性的に保持されていることを特徴とする撮像装置。
【請求項２】
前記回動軸押さえ部材（７）は前記第一の回動軸（１３ａ）の撮像装置（１）上側、撮像装置（１）下側、撮影光軸（Ｚ）側、グリップ側の４方向のうち、撮影光軸（Ｚ）側を含む３方向を保持する請求項１に記載の撮像装置。
【請求項３】
前記回動軸押さえ部材（７）において、前記第一の回動軸（１３ａ）を保持する第一の回動軸押さえ部（７ａ）は、外装の底面カバー（４）の第一の穴部（４ａ）に配設され、
前記第一の回動軸押さえ部（７ａ）の撮影光軸（Ｚ）側の第一の側面（７ｄ）と、前記第一の穴部（４ａ）における撮影光軸（Ｚ）側の第二の側面（４ｃ）に隙間（９）を設けている請求項２に記載の撮像装置。
【発明の詳細な説明】
【技術分野】
【０００１】
本発明は、電源供給のための電池を筐体内に収納することが可能な撮像装置に関し、特に撮像装置に対する電池蓋の保持構造に関する。
【背景技術】
【０００２】
従来、例えば筐体の内部に設けられた電池収納部の開口を塞ぐための電池蓋のように、使用者によって開閉操作が可能な蓋体を有する撮像装置がある。筐体に対して開閉可能な蓋体を有する撮像装置の中には、通常の開閉操作とは別に特別な操作によって筐体から蓋体を取り外すことが可能な構造の電子機器がある。
【０００３】
例えば電池収納部に通常使用の電池よりも大型の外部電源装置を挿入することが可能な撮像装置では、電池蓋を開いて外部電源装置を電池収納部に装着した時に、外部電源装置の一部が電池収納部に突出する。そのため、電池蓋と外部電源装置とが干渉を起こすといった問題が起こる。この干渉を避けるために、電池収納部に対する外部電源装置の装着時に電池蓋の取り外し操作により電池蓋を筐体から取り外せるような電池蓋保持構造を有する撮像装置が知られている。
【０００４】
上記のように筐体から取り外しが可能な蓋体を有する電子機器としては、次のものが提案されている（特許文献１参照）。特許文献１に記載の電子機器において、筐体に蓋体が嵌まり込む開口部が設けられており、開口部内壁には少なくとも一対の穴部が形成されている。蓋体の側面には開口部内壁の一対の穴部にそれぞれ係合可能な突起部が形成されている。筐体の開口部内壁の穴部と蓋体の突起部とが係合することで、蓋体が筐体に係止される。
【先行技術文献】
【特許文献】
【０００５】
【特許文献１】特開２０１１−０５５０６５号公報
【発明の概要】
【発明が解決しようとする課題】
【０００６】
カメラなどの携帯機器は、撮影者による持ち運びを伴う事から、不用意に落下させてしまうことがある。しかしながら、上記従来例で示したような取り外し可能な蓋体を有する撮像装置においては、落下の衝撃により蓋体の軸を破損する可能性がある。以下、図１１を用いて説明する。図１１は、上記従来例に係る撮像装置の電池蓋と、その保持構成を示す図であり、図１１（ａ）は、従来例に係る撮像装置１００の底面図、図１１（ｂ）は、電池蓋１１０の外観視図、図１１（ｃ）は図１１（ａ）のＳ-Ｓ線に沿う部分断面図である。
【０００７】
図１１において、１３０は、電池蓋の回動軸、４００は外装カバーとしての底面カバー、７００は、回動軸押さえ部材、Ｌは電池蓋の回動軸中心である。図１１（ｃ）に示すように、電池蓋１１０の回動軸１３０は、底面カバー４００と回動軸押さえ部材７００によって形成される穴部に収納および保持される。従って、落下の衝撃等によって、回動軸１３０には回転軸中心Ｌと直交するせん断力が加わると、回転軸１３０が破損する可能性がある。また、回動軸の破損を防止するために、回動軸を金属などによって形成することも可能ではあるが、コストアップとなってしまう。
【０００８】
そこで、本発明の目的は、落下等により衝撃が加わっても、電池蓋の回動軸の破損を防止することができる撮像装置を提供することにある。
【課題を解決するための手段】
【０００９】
上記の目的を達成するために、本発明に係る撮像装置は、
撮像装置（１）本体から前面側に突出したグリップ部（３）と、前記グリップ部（３）の内側に形成され、撮像装置（１）に電源を供給するための電池（５）を収納する電池収納部（３ａ）と、前記電池収納部（３ａ）に配設された開閉自在の電池蓋（１０）と、前記電池蓋（１０）の回動軸の一部を保持する回動軸押さえ部材（７）と、前記電池蓋（１０）の回動軸（Ｋ）が撮像レンズ（２）の撮影光軸（Ｚ）に対し略平行に配設される撮像装置（１）において、前記電池蓋（１０）の撮像装置（１）の前面側に配設されている第一の回動軸（１３ａ）の撮影光軸（Ｚ）側の側面を、前記回動軸押さえ部材（７）により弾性的に保持されていることを特徴とする。
【発明の効果】
【００１０】
本発明に係る撮像装置によれば、落下等により外側から大きな衝撃が加わった際に、電池蓋の回動軸の破損を回避することを提供することができる。
【図面の簡単な説明】
【００１１】
【図１】（ａ）は本実施形態に係る撮像装置の正面図、（ｂ）は本実施形態に係る撮像装置の底面図
【図２】（ａ）は電池蓋が開いた状態における撮像装置の正面図、（ｂ）は電池蓋が開いた状態における撮像装置の底面図
【図３】（ａ）は電池蓋の外観視図、（ｂ）は電池蓋の内観視図
【図４】（ａ）は電池蓋カバーを取り外した状態の電池蓋の内観視図、（ｂ）は電池蓋の分解斜視図
【図５】（ａ）は撮像装置に対する電池蓋の係止が解除された状態の電池蓋の外観視図、（ｂ）は撮像装置に対する電池蓋の係止が解除された状態の電池蓋の内観視図
【図６】回動軸部材の動作の説明図
【図７】底面カバーに対する、軸押さえ部材の取り付け構造を示す分解斜視図
【図８】（ａ）は電池蓋を取り外した状態の撮像装置の底面図、（ｂ）は図８（ａ）に示すＱ-Ｑ線における断面図  、（ｃ）は図８（ａ）に示すＲ-Ｒ線における断面図
【図９】（ａ）は撮像装置をグリップの先端から落下した状態を示す図、（ｂ）は撮像装置を図９（ａ）の姿勢で落下した際に、電池蓋に掛かる荷重を模式的に示した図
【図１０】（ａ）は図１（ａ）に示すＡ-Ａ線における断面図、（ｂ）は撮像装置をグリップの先端から落下した際の第一の回転軸押さえ部と、第一の回動軸の位置変化を示す図１（ａ）のＡ−Ａ線における断面図
【図１１】（ａ）は従来例に係る撮像装置の底面図、（ｂ）は電池蓋の外観視図、（ｃ）は図１１（ａ）に示すＳ-Ｓ線における断面図
【発明を実施するための形態】
【００１２】
以下に、本発明の好ましい実施の形態を、添付の図面に基づいて詳細に説明する。
【００１３】
［実施例１］
図１は本発明の実施形態にかかわる撮像装置の一例である一眼レフデジタルカメラ（以下、カメラ）の外観を示す図であり、図１（ａ）は正面図、図１（ｂ）は底面図である。
【００１４】
本発明の実施形態に係る撮像装置は、例えば電源として電池を利用するカメラ１である。２はカメラ１に取り外し可能な交換レンズ、３は撮影者が手でカメラを保持するためのグリップである。４は外装カバーとしての底面カバー、１０はカメラ１に対して、回動軸中心Ｋで回動、開閉可能に取り付けられた電池蓋である。図１は電池蓋１０が底面カバー４に対して係止された状態を示している。１１ａは、電池蓋１０の、カメラ１に対する係止を解除するための係止解除レバーであり、後述する。
【００１５】
図２は電池蓋１０が開いた状態を示す外観図であり、図２（ａ）は正面図、図２（ｂ）は底面図である。
【００１６】
５はカメラ１の電源としての電池、６は電池５の飛出しを規制する電池係止爪であり、回動可能に保持されている。電池係止爪６をカメラ前面側に回動させる（不図示）ことで、電池５に対する係止が解除され、カメラ１に対して電池５の挿脱が可能となる。図２に示すように、一眼レフカメラの特徴として、グリップ３がカメラ前面側に突出しており、その突出形状を利用し電池収納部３ａを形成している。したがって、電池５は突出したグリップ３の形状に沿うように配置される。
【００１７】
結果として図１及び図２に示すように、電池蓋１０もグリップ３の突出した形状を含む領域に形成され、回動軸Ｋは撮影光軸Ｚと略平行である。
【００１８】
次に、電池蓋１０の詳細構造について、図３から図６を用いて説明する。
【００１９】
図３（ａ）は電池蓋１０の外観視図であり、電池蓋１０がカメラ１に係止された状態を示す。図３（ｂ）は電池蓋１０を図２（ａ）の矢印Ｔ方向から見た、電池蓋１０の内観視図である。図４（ａ）は後述する電池蓋カバー１５を取り外した状態の、電池蓋１０の内観視図、図４（ｂ）は電池蓋１０の分解斜視図である。図５（ａ）は電池蓋１０の、底面カバー４に対する係止が解除された状態の外観視図、図５（ｂ）は図２（ａ）の矢印Ｔ方向から見た、電池蓋１０の、底面カバー４に対する係止が解除された状態の内観視図である。図６は電池蓋１０をカメラ１から取り外す際の状態を示す図である。
【００２０】
まず、電池蓋係止爪１１の取り付け構造及び機能について図３、図４を用いて説明する。
【００２１】
電池蓋係止爪１１は、電池蓋１０を底面カバー４に係止する部材である。この電池蓋係止爪１１が底面カバー４の不図示の被係止部に係止されることによって、電池蓋１０が閉じた状態を保持する。この電池蓋係止爪１１には、バネ軸１１ｂが形成されている。電池蓋係止爪１１はバネ軸１１ｂに対し、係止バネ１２を図４（ｂ）の矢印Ｂ方向に挿入した状態で電池蓋１０に取り付けられ、係止バネ１２は係止バネ収納溝１０ｂに、圧縮状態で収納される。
【００２２】
係止バネ１２は圧縮バネであり、電池蓋係止爪１１を常に図４（ｂ）の矢印Ｂ方向に付勢し、電池蓋１０が閉じた状態を保持する。電池蓋係止爪１１の係止を解除する際は、図５（ａ）に示す、電池蓋係止爪１１上に形成された係止解除レバー１１ａを矢印Ｅ方向に操作する。係止解除レバー１１ａを操作し、底面カバー４に対して電池蓋係止爪１１の係止が解除された状態の電池蓋１０を図５（ａ）及び（ｂ）に示す。
【００２３】
以上説明したように、電池蓋係止爪１１は電池蓋１０に対して一方向に移動可能に取り付けられる。なお、本実施例においては電池蓋係止爪１１を付勢するための係止バネ１２としてコイルバネを用いているが、その他の手段によって付勢しても良い。
【００２４】
次に、軸部材１３の取り付け構造及び機能について、図３、図４、図６を用いて説明する。
【００２５】
図４（ａ）及び（ｂ）に示す軸部材１３は、電池蓋１０とは別体の部材であり、本実施例においては電池蓋１０の回動軸の片側を形成する、第一の回動軸１３ａを有する。
【００２６】
この第一の回動軸１３ａは、電池蓋１０上に形成される第二の回動軸１０ａと略同軸である。なお、第一の回動軸１３ａの中心と、第二の回動軸１０ａの中心を結んだものが、回動軸中心Ｋである。軸部材１３には、バネ軸１３ｂが形成されている。軸部材１３は、バネ軸１３ｂに対し、軸付勢バネ１４を図４（ｂ）の矢印Ｃ方向に挿入した状態で、電池蓋１０に取り付けられる。
【００２７】
具体的には、軸部材１３の嵌合部１３ｃが、電池蓋１０の嵌合穴１０ｃに挿通されると共に、バネ軸１３ｂに挿入された軸付勢バネ１４の固定端１４ａが、電池蓋１０の固定端収納溝１０ｄに収納される。軸付勢バネ１４は圧縮バネであり、軸部材１３を常に図４（ａ）及び（ｂ）の矢印Ｃ方向に付勢している。また、軸部材１３は、軸部材移動レバー１３ｄを有している。この軸部材移動レバー１３ｄを、軸付勢バネ１４の付勢力に抗して、図４（ａ）及び（ｂ）の矢印Ｄ方向に操作すると、図６の鎖線で示すように、第一の回動軸１３ａが、電池蓋１０の嵌合穴１０ｃの中に移動する。
【００２８】
すなわち、第一の回動軸１３ａが電池蓋１０に対して突出していない状態となるため、電池蓋１０をカメラ１から取り外すことが可能となる。なお、電池蓋１０の取り外しは、外部電源装置（不図示）などをカメラ１に装着する際に行うものである。
【００２９】
続いて、電池蓋カバー１５をビス１６ａ、１６ｂ、１６ｃで電池蓋１０に締結する。電池蓋カバー１５には、穴部１５ａが形成されており、軸部材移動レバー１３ｄが挿通されることで、軸部材移動レバー１３ｄの操作が可能となる。
【００３０】
図７は底面カバー４に対する、回動軸押さえ部材７の取り付け構造を示す分解斜視図で、図８（ａ）は電池蓋１０を取り外した状態における底面図、図８（ｂ）、（ｃ）は電池蓋１０の回動軸保持部の部分断面図である。
【００３１】
回動軸押さえ部材７は、底面カバー４に対して、ビス８ａ、８ｂによって締結される。その際、回動軸押さえ部材７のカメラ前面側の第一の回動軸押さえ部７ａは、底面カバー４の穴部４ａに配設される。また、回動軸押さえ部材７のカメラ背面側の第二の回動軸押さえ部７ｂは、底面カバー４の回動軸嵌合穴４ｂに配設される。
【００３２】
図８（ｂ）に示す部分断面図は、図８（ａ）のＱ-Ｑ線に沿う断面図である。
【００３３】
第一の回動軸押さえ部７ａには回動軸嵌合溝７ｃがあり、回動軸部材１３の第一の回動軸１３ａを嵌合し、弾性的に保持している。第一の回動軸１３ａはカメラ上面側、撮影光軸Ｚ側、グリップ３側の３方向の動きを第一の回動軸押さえ部７ａによって規制され、カメラ下面側の動きを底面カバー４の穴部４ａにより規制されている。第一の回動軸押さえ部７ａの撮影光軸Ｚ側の第一の側面７ｄと、穴部４ａの撮影光軸Ｚ側の第二の側面４ｃには隙間９が設けられている。
【００３４】
図８（ｃ）に示す部分断面図は、図８（ａ）のＲ-Ｒ線に沿う断面図である。
【００３５】
底面カバー４の穴部４ａは電池蓋１０の第二の回動軸１０ａを嵌合するために形成されている。第二の回動軸１０ａはカメラ上面側を第一の回動軸押さえ部７ｂによって規制され、撮影光軸Ｚ側、グリップ側、カメラ下面側の３方向の動きを底面カバー４の回動軸嵌合穴４ｂにより規制されている。
【００３６】
このように、電池蓋１０はカメラ１に対して開閉可能に取り付けられる。なお、本実施例において、第一の回動軸押さえ部７ａと第二の回動軸押さえ部７ｂは異なる形状だが、第二の回動軸押さえ部７ｂは第一の回動軸押さえ部７ａと同様の形状、乃至は同様の保持方法でも良い。
【００３７】
以上のように構成されたカメラにおいて、撮影者が不用意にカメラ１を落下させてしまった際の、電池蓋１０に掛かる荷重について説明する。
【００３８】
図９（ａ）はカメラ１がグリップ３の先端から落下した状態を示す図、図９（ｂ）はその際に電池蓋１０に掛かる荷重の関係を模式的に示した図である。図１０は図１のＡ-Ａ線に沿う部分断面図である。図１０（ａ）は電池蓋１０がカメラ１に取り付けられている状態を示し、図１０（ｂ）はカメラ１がグリップ３の先端から落下した際の第一の回動軸押さえ部７ａと、第一の回動軸１３ａの位置変化を示す断面図である。
【００３９】
カメラの場合は、グリップ３部の電池収納部３ａに電池５、カメラ１の前面側に交換レンズ２などの重量物が装着されることから、図９（ａ）に示すような、カメラ１がやや前傾した状態での落下の可能性がある。その際、カメラ１は突出したグリップ３の先端付近に、すなわち、図９（ｂ）に示す矢印Ｐ方向から衝撃が加わるため、電池蓋１０にかかる外力として、電池蓋のグリップ３先端側には、第二の回動軸１０ａを中心とする回転モーメントＭが発生する。
【００４０】
この回転モーメントＭが発生するとき、第一の回動軸１３ａは図１０（ａ）に示す矢印Ｇ方向に移動しようとするため、第一の回動軸１３ａには図１０（ｂ）に示す応力Ｆが掛かる。従来の構成では応力Ｆにより電池蓋１０の第一の回動軸１３ａが破損してしまっていた。
【００４１】
このような状態において、本発明の実施形態によれば、第一の側面７ｄと第二の側面４ｃの間に隙間９が設けられているため、図１０（ｂ）に示すように、第一の回動軸押さえ部７ａの先端が矢印Ｇ方向に弾性変形する。第一の回動軸押さえ部７ａの変形に伴い、第一の回動軸１３ａは矢印Ｇ方向に移動可能となるため、第一の回動軸１３ａに掛かる応力Ｆを逃がすことが可能である。このことにより、第一の回動軸１３ａの根元にかかる応力を低減させることができるため、破損を回避できる。
【００４２】
以上、説明したように、本発明の実施例によれば、撮影者が不用意にカメラを落下させてしまった際に、電池蓋の回動軸の破損を回避することが可能となる。
【００４３】
本発明の好ましい実施形態について説明したが、本発明はこの実施形態に限定されず、その要旨の範囲内で種々の変形及び変更が可能である。
【符号の説明】
【００４４】
１  カメラ、２  交換レンズ、３  グリップ、３ａ  電池収納部、４  底面カバー、
４ａ  穴部、４ｂ  回動軸嵌合穴、４ｃ  第二の側面、５  電池、６  電池係止爪、
７  回動軸押さえ部材、７ａ  第一の回動軸押さえ部、７ｂ  第二の回動軸押さえ部、
７ｃ  回動軸嵌合溝、７ｄ  第一の側面、８ａ，８ｂ  ビス、９  隙間、１０  電池蓋、
１０ａ  第二の回動軸、１０ｂ  係止バネ収納溝、１０ｃ  嵌合穴、
１０ｄ  固定端収納溝、１１  電池蓋係止爪、１１ａ  係止解除レバー、
１１ｂ  バネ軸、１２  係止バネ、１３  回動軸部材、１３ａ  第一の回動軸、
１３ｂ  バネ軸、１３ｃ  嵌合部、１３ｄ  軸部材移動レバー、１４  軸付勢バネ、
１４ａ  固定端、１５  電池蓋カバー、１５ａ  穴部、１６ａ，１６ｂ，１６ｃ  ビス
【図１】
2017198767.tif 000003
【図２】
2017198767.tif 000004
【図３】
2017198767.tif 000005
【図４】
2017198767.tif 000006
【図５】
2017198767.tif 000007
【図６】
2017198767.tif 000008
【図７】
2017198767.tif 000009
【図８】
2017198767.tif 000010
【図９】
2017198767.tif 000011
【図１０】
2017198767.tif 000012
【図１１】
2017198767.tif 000013